(57)【要約】      （修正有）【課題】両軸受リールにおいて、回転式開閉カバーをロックする機構のスペースを不要とするカバーの開閉構造の提供。【解決手段】スプール軸２０の周りに揺動可能なカバー１６ａと、スプール軸２０から離隔した中心軸６１の周りに回動可能にカバー１６ａに支持され、中心軸６１を中心とする第１の半径の円弧状の係合溝６２が形成され、スプールの制動力を調節可能なダイヤル円盤６０と、第１側板１５ａに固定され、カバー１６ａが第１側板１５ａを覆う状態で、係合溝６２に係合する突起７０と、を備える。ダイヤル円盤６０は、係合溝６２に連通して第１の半径の円弧とは異なる向きに延び、突起７０が通過してダイヤル円盤６０から離脱し得るガイド孔６３が形成されており、係合溝６２とガイド孔６３の交点６４を、カバー１６ａが第１側板１５ａを覆うときの突起７０に合わせた状態で、突起７０はガイド孔６３を通じてダイヤル円盤６０から離脱し得る。【選択図】図６
2019115278.tif 000002
【特許請求の範囲】
【請求項１】
第１側板および前記第１側板と対向して配置される第２側板を有するフレームと、
前記第１側板および前記第２側板を貫いて配置され、前記フレームに回転可能に支持されるスプール軸と、
前記第１側板と前記第２側板との間に配置されて前記スプール軸に装着され、前記スプール軸とともに回転する糸巻用のスプールと、
前記第１側板の側の前記フレームの外に支持軸の周りに揺動可能に支持され、前記第１側板の前記フレームの外を覆う第１位置と前記第１側板の前記フレームの外を開放する第２位置との間で揺動可能なカバーと、
前記第１側板の側の前記フレームの外で前記カバーまたは前記第１側板の一方に、前記カバーの前記支持軸から離隔した中心軸の周りに回動可能に支持され、前記中心軸を中心とする第１の半径の円弧状の係合溝が形成され、前記中心軸の周りの回動位置で前記スプールに加えられる制動力を調節可能なダイヤル円盤と、
前記第１側板または前記カバーの他方に固定され、前記カバーが前記第１位置にある状態で、前記係合溝に係合する突起と、
を備え、
前記ダイヤル円盤は、前記係合溝の１箇所から前記係合溝に連通して前記第１の半径の円弧とは異なる向きに延び、前記突起が通過して前記ダイヤル円盤から離脱し得るガイド孔が形成されており、
前記ダイヤル円盤の前記係合溝と前記ガイド孔の交わる位置を、前記カバーが前記第１位置にあるときの前記突起に合わせた状態で、前記突起は前記ガイド孔を通じて前記ダイヤル円盤から離脱し得る、
両軸受リール。
【請求項２】
前記ダイヤル円盤の前記係合溝と前記ガイド孔の交わる位置を、前記カバーが前記第１位置にあるときの前記突起に合わせた状態で、前記ガイド孔は、前記係合溝に連通して前記ダイヤル円盤の外周に通じる、前記カバーの支持軸を中心とする第２の半径の円弧状の溝である、請求項１に記載の両軸受リール。
【請求項３】
前記第１側板は、前記スプールが通過可能に前記スプール軸の軸芯を中心として円形に形成された開口を有し、
前記両軸受リールは、前記スプール軸の周りに揺動して前記第１側板の前記開口に着脱可能に設けられ、前記スプール軸の一端を回転可能に支持する軸受けを収納可能な軸支持部を有し、
前記カバーは、前記軸支持部に固定され、
前記ダイヤル円盤は、前記軸支持部に回動可能に支持され、
前記突起は、前記第１側板に固定されている、
請求項２に記載の両軸受リール。
【請求項４】
前記突起は、先端の幅が根元の幅より拡大している先太形状であり、
前記係合溝の断面は、底の幅が開口の幅より広く前記突起が係合する底広形状であって、
前記ガイド孔は、前記係合溝の１箇所から前記係合溝に連通して前記ダイヤル円盤の外面に通じ、前記突起の先端から根元に向かう方向に前記突起の先端が通過しうる孔である、
請求項１に記載の両軸受リール。
【発明の詳細な説明】
【技術分野】
【０００１】
本発明は、魚釣り用の両軸受リールに関する。
【背景技術】
【０００２】
魚釣り用のリールにおいて、リール本体のハンドルとは反対側のカバーを、回転させて開ける構造の両軸受リールが実用化されている。例えば、特許文献１には、フレーム、スプール、サイドカバーアッセンブリー、および協働手段を有する魚釣用リールにおいて、スプールは、第一軸心回りに回転自在にフレームに保持される作動位置とフレームから分離される分離位置との間で第一軸心方向に移動可能であり、協働手段は、サイドカバーアッセンブリーを第一位置と第二位置との間で第二軸心回りに回動可能にフレームに取り付け、サイドカバーアッセンブリーは、第一位置においてスプールを作動位置に維持し、第二位置においてスプールが作動位置から分離位置に移動することを許容する。特許文献１の魚釣用リールでは、不注意によりフレームからサイドカバーアッセンブリーが分離することを防止するために一基のラッチアッセンブリーが配設されている。
【０００３】
特許文献２の両軸受リールのリール本体は、１対の側板と、複数の連結部材と、１対の側カバーと、前カバーとを備えている。側板は間隔を隔てて配置され、一方にスプールが貫通可能な開口が形成されている。連結部材は、両側板を連結する。側カバーは、それぞれの側板を覆い、かつ一方の側カバーが側板に対してバヨネット機構によって回動することにより着脱可能である。前カバーは、少なくとも１対の側板の間を覆う閉位置とそれから離反した開位置とに開閉自在に側板に装着され、かつ閉位置に配置されたとき側カバーを回り止めする。特許文献２の両軸受リールでは、側カバーから突出する突起と前カバーから伸ばされた軸部とが係合するスペースが必要である。
【０００４】
特許文献３の両軸受リールでは、第１側カバーの着脱操作用の着脱操作部は、第１側板に向けて突出する突起部を有する。着脱操作部は、第１側板に対して着脱可能な第１位置と、着脱不能な第２位置とスプール軸回りに揺動する。ロック部材は、突起部に係合可能な係合溝を有する。係合溝は、開いた第１端および閉じた第２端を有する。ロック部材は、ロック位置とロック解除位置とに移動可能である。着脱操作部が第２位置にあるとき、突起部に係合した状態で突起部の移動を規制し、第１位置にあるとき突起部の移動を許容する。
【先行技術文献】
【特許文献】
【０００５】
【特許文献１】特開平１０−５６９２７号公報
【特許文献２】特開平１０−２１０９０２号公報
【特許文献３】特開２０１４−１７６３０１号公報
【発明の概要】
【発明が解決しようとする課題】
【０００６】
カバーが着脱可能な両軸受リールでは、カバーの不意の回転と脱落を防ぐため、カバーを動かせないようにロックする機構が備わっている。引用文献の技術では、カバーを動かせないようにするために、リール本体にロック機構のスペースが必要であった。
【０００７】
本発明は、上述の問題を解決するためになされたものであって、両軸受リールにおいて、回転式開閉カバーをロックする機構のスペースを不要とすることを目的とする。
【課題を解決するための手段】
【０００８】
本発明の第１の観点に係る両軸受リールは、第１側板および第１側板と対向して配置される第２側板を有するフレームと、第１側板および第２側板を貫いて配置され、フレームに回転可能に支持されるスプール軸と、第１側板と第２側板との間に配置されてスプール軸に装着され、スプール軸とともに回転する糸巻用のスプールと、第１側板の側のフレームの外に支持軸の周りに揺動可能に支持され、第１側板のフレームの外を覆う第１位置と第１側板のフレームの外を開放する第２位置との間で揺動可能なカバーと、第１側板の側のフレームの外でカバーまたは第１側板の一方に、カバーの支持軸から離隔した中心軸の周りに回動可能に支持され、中心軸を中心とする第１の半径の円弧状の係合溝が形成され、中心軸の周りの回動位置でスプールに加えられる制動力を調節可能なダイヤル円盤と、第１側板またはカバーの他方に固定され、カバーが第１位置にある状態で、係合溝に係合する突起と、を備える。ダイヤル円盤は、係合溝の１箇所から係合溝に連通して第１の半径の円弧とは異なる向きに延び、突起が通過してダイヤル円盤から離脱し得るガイド孔が形成されており、ダイヤル円盤の係合溝とガイド孔の交わる位置を、カバーが第１位置にあるときの突起に合わせた状態で、突起はガイド孔を通じてダイヤル円盤から離脱し得る。
【０００９】
好ましくは、ダイヤル円盤の係合溝とガイド孔の交わる位置を、カバーが第１位置にあるときの突起に合わせた状態で、ガイド孔は、係合溝に連通してダイヤル円盤の外周に通じる、カバーの支持軸を中心とする第２の半径の円弧状の溝である。
【００１０】
好ましくはさらに、第１側板は、スプールが通過可能にスプール軸の軸芯を中心として円形に形成された開口を有し、両軸受リールは、スプール軸の周りに揺動して第１側板の開口に着脱可能に設けられ、スプール軸の一端を回転可能に支持する軸受けを収納可能な軸支持部を有し、カバーは、軸支持部に固定され、ダイヤル円盤は、軸支持部に回動可能に支持され、突起は、第１側板に固定されている。
【００１１】
あるいは、突起は、先端の幅が根元の幅より拡大している先太形状であり、係合溝の断面は、底の幅が開口の幅より広く突起が係合する底広形状であって、ガイド孔は、係合溝の１箇所から係合溝に連通してダイヤル円盤の外面に通じ、突起の先端から根元に向かう方向に突起の先端が通過しうる孔である。
【発明の効果】
【００１２】
本発明によれば、両軸受リールにおいて、回転式開閉カバーをロックする機構のスペースを不要とすることができる。
【図面の簡単な説明】
【００１３】
【図１】本発明の実施の形態１に係る両軸受リールの外観斜視図
【図２】実施の形態１に係る両軸受リールの側面図
【図３】実施の形態１に係る両軸受リールの断面図
【図４】実施の形態１に係る両軸受リールのカバーの背面図
【図５】実施の形態１に係る両軸受リールからカバーをはずした第１側板の正面図
【図６】実施の形態１に係る両軸受リールの解除状態における係合溝を通る断面図
【図７】実施の形態１に係る両軸受リールのカバーを開いたときの係合溝を通る断面図
【図８】実施の形態１に係る両軸受リールのロック状態の係合溝を通る断面図
【図９】本発明の実施の形態２に係る両軸受リールのカバーを開いた状態の側面図
【図１０】本発明の実施の形態３に係る両軸受リールのカバーを開いた状態の側面図
【図１１】実施の形態３に係る両軸受リールのダイヤル円盤の断面図
【図１２】実施の形態３の変形例を示す側面図
【図１３】実施の形態３の異なる変形例に係るダイヤル円盤の正面図
【図１４】実施の形態３の異なる変形例に係るダイヤル円盤の断面図
【発明を実施するための形態】
【００１４】
以下、本発明の実施の形態について図面を参照して詳細に説明する。なお図中、同一または同等の部分には同一の符号を付す。
【００１５】
実施の形態１．
図１は、本発明の実施の形態１に係る両軸受リールの外観斜視図である。両軸受リール１０は、リール本体１１、リール本体１１の側方に配置されたスプール回転駆動用のハンドル１２、ハンドル１２とリール本体１１との間に配置されたドラグ調整用のスタードラグ１３、および、糸巻用のスプール１４を備えている。スプール１４は、リール本体１１に回転可能に支持されるスプール軸に装着されている。
【００１６】
リール本体１１は、フレーム１５と、フレーム１５の両側方に装着されたカバー１６ａおよび駆動部カバー１６ｂと、を有している。カバー１６ａは、ハンドル１２と反対側の第１側板１５ａに着脱可能に装着され、第１側板１５ａの側でフレーム１５の外を覆う。駆動部カバー１６ｂは、ハンドル１２の側の第２側板１５ｂにネジ止め固定され、第２側板１５ｂの側でフレーム１５の外を覆う。
【００１７】
ハンドル１２は、アーム部１２ａと、アーム部１２ａの両端に回転自在に装着された把手１２ｂとを有するダブルハンドル形のものである。アーム部１２ａはスプール１４を回転駆動する機構の駆動軸に、ナット２８により締結されている。
【００１８】
両軸受リール１０は、フレーム１５の下部に形成された釣り竿装着部１５ｄで釣り竿に装着される。スプール１４に巻かれた釣り糸は、図１の右奥方向に繰り出される。図１に向かって、リール本体１１から図１の右奥の方を前方、左手前の方を後方という。
【００１９】
図２は、実施の形態１に係る両軸受リールの側面図である。図２は、カバー１６ａの側から見た図である。図２に向かって左が両軸受リール１０の前方、右が後方である。フレーム１５は、ハンドル１２が固定される駆動軸と駆動機構を保持するために、第２側板１５ｂの方が、第１側板１５ａより釣り竿側にはみ出ている。
【００２０】
第１側板１５ａおよびカバー１６ａの間に、スプール１４に加えられる制動力を調節可能な操作部材であるダイヤル円盤６０が配置されている。ダイヤル円盤６０は、第１側板１５ａおよびカバー１６ａに対して回動可能に支持されている。カバー１６ａは、ダイヤル円盤６０を解除位置に回したときに、第１側板１５ａから取り外すことができる。ダイヤル円盤６０の回動位置が制動力を調節する範囲にあるときは、カバー１６ａを外すことができない。
【００２１】
図３は、実施の形態１に係る両軸受リールの断面図である。図３は、両軸受リール１０を後方から見て、スプール軸２０を通る断面図である。フレーム１５は、第１側板１５ａ、第１側板１５ａと間隔をあけて互いに対向するように配置された第２側板１５ｂ、および、第１側板１５ａと第２側板１５ｂとを連結する複数の連結部１５ｃを有している。下側の連結部１５ｃには、釣り竿装着部１５ｄが一体で形成されている。
【００２２】
スプール軸２０は、第１側板１５ａおよび第２側板１５ｂを貫いて配置され、両端をそれぞれ軸受３８ａ、３８ｂで回転可能に支持されている。第１側板１５ａの側の軸受３８ａは、軸支持部３５に収納され、ハンドル１２の側の軸受３８ｂは、駆動部カバー１６ｂに収納されている。スプール１４は、第１側板１５ａと第２側板１５ｂとの間に配置されてスプール軸２０に装着されている。スプール１４は、スプール軸２０とともに回転する。第１側板１５ａには、スプール１４がスプール軸２０の方向に通過しうる開口部１５ｅが形成されている。軸支持部３５は、第１側板１５ａの開口部１５ｅに着脱可能に連結される。
【００２３】
軸支持部３５は、有底筒状の部材である。軸支持部３５は、スプール軸２０の一端を支持するための軸受３８ａが収納される小径の軸受収納部３５ａ、開口部１５ｅに嵌合する大径の装着部３５ｂ、および、軸受収納部３５ａと装着部３５ｂとを連結する段付き円板状の底部３５ｃ、を有している。軸受収納部３５ａの内周側には、軸受３８ａが収納されている。
【００２４】
スプール１４と軸支持部３５との間には、キャスティング時のバックラッシュを抑えるためのスプール制動装置２５が配置されている。スプール制動装置２５は、軸受収納部３５ａの外周側に連結されている。スプール制動装置２５は、軸支持部３５に連結保持され、軸支持部３５と一体に、第１側板１５ａに着脱可能である。ダイヤル円盤６０は、軸支持部３５に回動可能に支持されている。カバー１６ａは、軸支持部３５に固定されている。したがって、ダイヤル円盤６０は、第１側板１５ａとカバー１６ａの間で、カバー１６ａの側に支持されている。
【００２５】
図４は、実施の形態１に係る両軸受リールのカバーの背面図である。図４は、一体になったカバー１６ａ、軸支持部３５およびダイヤル円盤６０を、第１側板１５ａの側から見た図である。図４に向かって、右が両軸受リール１０の前方、左が後方である。図４では、スプール制動装置２５が簡略化して描かれている。カバー１６ａは、例えば、図示しないねじで軸支持部３５に固定されている。
【００２６】
軸支持部３５の外周に周方向に間隔をあけて、径方向に突出する複数のカム突起３６が形成されている。カム突起３６は、第１側板１５ａの開口部１５ｅに形成されているカム受けにバヨネット構造で連結する。軸支持部３５の中央の穴ｈに、スプール軸２０が嵌合する。軸支持部３５は、スプール軸２０の周りに揺動可能に、第１側板１５ａに支持される。
【００２７】
ダイヤル円盤６０は、中心軸６１の周りに回動可能に支持されている。ダイヤル円盤６０には、中心軸６１の軸芯を中心とする半径ｒの円弧状の係合溝６２が形成されている。半径ｒは、中心軸６１の軸芯を中心として係合溝６２の断面の重心を通る円の半径である。ダイヤル円盤６０には、さらに、係合溝６２の端から、係合溝６２に連通して、中央の穴ｈの中心、すなわち、軸支持部３５の支持軸を中心とする半径Ｒの円弧状のガイド孔６３が形成されている。半径Ｒは、軸支持部３５の支持軸を中心としてガイド孔６３の断面の重心を通る円の半径である。ガイド孔６３は、係合溝６２に連通し、ダイヤル円盤６０の外周に通じている。係合溝６２とガイド孔６３は、交点６４で交わり連通している。
【００２８】
図５は、実施の形態１に係る両軸受リールからカバーをはずした第１側板の正面図である。図５に向かって、左が両軸受リール１０の前方、右が後方である。カバー１６ａ、軸支持部３５、スプール制動装置２５およびダイヤル円盤６０は、一体で第１側板１５ａからはずせるので、カバー１６ａを外すと、軸支持部３５、スプール制動装置２５およびダイヤル円盤６０も外れる。
【００２９】
カバー１６ａ、軸支持部３５、スプール制動装置２５およびダイヤル円盤６０を外した状態で、開口部１５ｅを通じて、スプール１４およびスプール軸２０が見えている。開口部１５ｅの周囲に、カム突起３６と係合可能な係合溝３７が形成され、周方向に間隔をあけてカム受け３８が複数箇所（例えば３箇所）に形成されている。軸支持部３５のカム突起３６を係合溝３７に係合させ、スプール軸２０の周りに回すと、カム突起３６は、カム受け３８に嵌まって、軸支持部３５は、第１側板１５ａに連結される。
【００３０】
第１側板１５ａには、カバー１６ａに向かって突出する突起７０が固定されている。突起７０は、カバー１６ａ、軸支持部３５およびダイヤル円盤６０を、第１側板１５ａに取り付けると、ダイヤル円盤６０の係合溝６２またはガイド孔６３に係合する。
【００３１】
図６は、実施の形態１に係る両軸受リールの解除状態における係合溝を通る断面図である。図６は、係合溝６２を通り、スプール軸２０に直交する断面を、カバー１６ａから第１側板１５ａに向かって見た図である。図６に向かって、左が両軸受リール１０の前方、右が後方である。図６には、カバー１６ａが二点鎖線で示されている。図６は、カバー１６ａが第１側板１５ａを覆う閉じた状態で、ダイヤル円盤６０の係合溝６２とガイド孔６３の交点６４を、突起７０に合わせた状態、すなわち、ロックを解除した状態を示す。
【００３２】
カバー１６ａが第１側板１５ａを覆う閉じた状態で、突起７０は、係合溝６２に係合する。係合溝６２は、ダイヤル円盤６０の中心軸６１を中心とする円弧状の溝なので、カバー１６ａが第１側板１５ａを覆う閉じた状態で、ダイヤル円盤６０を中心軸６１の周りに回動させることができる。ガイド孔６３は、軸支持部３５の支持軸であるスプール軸２０を中心とする円弧状の溝なので、交点６４を突起７０に合わせた状態で、カバー１６ａ、軸支持部３５およびダイヤル円盤６０を一体にスプール軸２０の周りに揺動させて、突起７０をダイヤル円盤６０から離脱させることができる。
【００３３】
図７は、実施の形態１に係る両軸受リールのカバーを開いたときの係合溝を通る断面図である。図６のロックを解除した状態で、ダイヤル円盤６０を、軸支持部３５の支持軸の周りに揺動させて、突起７０をダイヤル円盤６０から離脱させることができる。カバー１６ａ、軸支持部３５およびダイヤル円盤６０を一体に図７で反時計回りに揺動させると、突起７０は、ガイド孔６３を通ってダイヤル円盤６０から離脱し、軸支持部３５のカム突起３６が、第１側板１５ａのカム受け３８から離脱する。カム突起３６を押さえるものがないので、軸支持部３５をスプール軸２０の方向にはずすことができる。カバー１６ａは軸支持部３５に固定されているから、第１側板１５ａのフレーム１５の外が開放される。
【００３４】
図８は、実施の形態１に係る両軸受リールのロック状態の係合溝を通る断面図である。図６のカバー１６ａを閉じてロックを解除した状態から、ダイヤル円盤６０を中心軸６１の周りに回動させることができる。交点６４を突起７０に合わせた位置から、ダイヤル円盤６０を中心軸６１の周りに時計回りに回動させると、ダイヤル円盤６０は突起７０と係合溝６２に拘束されて、ダイヤル円盤６０を軸支持部３５の支持軸の周りに揺動させることができない。すなわち、カバー１６ａを回すことはできない。軸支持部３５のカム突起３６は、第１側板１５ａのカム受け３８に押さえられているので、軸支持部３５およびカバー１６ａを第１側板１５ａから外すことができない。
【００３５】
実施の形態１の両軸受けリール１０によれば、スプール１４に加えられる制動力を調節するダイヤル円盤６０に、係合溝６２およびガイド孔６３を形成し、係合溝６２およびガイド孔６３に係合する突起７０を第１側板１５ａに形成したので、カバー１６ａをロックする専用の機構のスペースが不要である。
【００３６】
ガイド孔６３の向きは、図４および図６から図８の向きに限らず、係合溝６２の他方の端からダイヤル円盤６０の外周に通じてもよい。その場合、カバー１６ａから第１側板１５ａの方向に見て時計回りに軸支持部３５を揺動させてカム突起３６をカム受け３８から離脱させ、反時計回りに揺動させて、軸支持部３５を第１側板１５ａに連結する。また、ガイド孔６３は、係合溝６２の端から連通するのに限らず、係合溝６２の中間から係合溝６２に連通してもよい。
【００３７】
実施の形態２．
図９は、本発明の実施の形態２に係る両軸受リールのカバーを開いた状態の側面図である。実施の形態２では、ダイヤル円盤６０の係合溝６２およびガイド孔６３に係合する突起７１がカバー１６ａに形成されている。カバー１６ａは、支持軸２１の周りに揺動可能に、第１側板１５ａに支持されている。カバー１６ａは軸支持部３５に固定されない。
【００３８】
実施の形態１と同様に、軸支持部３５は、バヨネット構造であるカム突起３６、係合溝３７およびカム受け３８で第１側板１５ａに連結される。ダイヤル円盤６０は、軸支持部３５に回動可能に支持されている。ダイヤル円盤６０は、第１側板１５ａとカバー１６ａとの間で、第１側板１５ａの側に支持される。
【００３９】
実施の形態１と同様に、ダイヤル円盤６０には、中心軸６１の軸芯を中心とする半径ｒの円弧状の係合溝６２が形成されている。ダイヤル円盤６０には、さらに、係合溝６２の端から、係合溝６２に連通して、カバー１６ａの支持軸２１を中心とする半径Ｒ’の円弧状のガイド孔６３が形成されている。ガイド孔６３は、係合溝６２に連通し、ダイヤル円盤６０の外周に通じている。係合溝６２とガイド孔６３は、交点６４で交わり連通している。突起７１がカバー１６ａに固定されているので、係合溝６２およびガイド孔６３は、ダイヤル円盤６０のカバー１６ａの側の面に開いている。
【００４０】
係合溝６２を通る断面で見た、ダイヤル円盤６０の係合溝６２およびガイド孔６３と、突起７１の関係は、実施の形態１の係合溝６２およびガイド孔６３と、突起７０との関係と同様である。実施の形態２では、解除状態から、ダイヤル円盤６０に対して、カバー１６ａが支持軸２１の周りに揺動して、突起７１がダイヤル円盤６０から離脱する。図９に示すように、カバー１６ａを揺動させて、第１側板１５ａの側のフレーム１５の外を開放できる。カバー１６ａを開けば、軸支持部３５を回してカム突起３６をカム受け３８から離脱させ、軸支持部３５を第１側板１５ａから取り外すことができる。
【００４１】
実施の形態２でも、ガイド孔６３の向きは、図９の向きに限らず、係合溝６２の他方の端からダイヤル円盤６０の外周に通じてもよい。その場合、カバー１６ａを反時計回りに揺動させて、ダイヤル円盤６０から離脱させる。
【００４２】
実施の形態２では、カバー１６ａを第１側板１５ａに支持軸２１で支持する場合に限らず、支持軸２１を軸支持部３５に形成してもよい。その場合、カバー１６ａは、軸支持部３５に対して揺動する。また、その場合、カバー１６ａをダイヤル円盤６０から離脱させたときに、カバー１６ａを軸支持部３５から外せることが望ましい。
【００４３】
実施の形態３．
図１０は、本発明の実施の形態３に係る両軸受リールのカバーを開いた状態の側面図である。実施の形態３では、突起７２は、カバー１６ａに固定され、先端の幅が根元の幅より拡大している先太形状である。ダイヤル円盤６０には、中心軸６１の軸芯を中心とする半径ｒの円弧状の係合溝６５が形成されている。係合溝６５の断面は、底の幅が開口の幅より広く突起７２が係合する底広形状である。ガイド孔６６は、係合溝６５の１箇所から係合溝６５に連通してダイヤル円盤６０の外面に通じ、突起７２の延びている方向に突起の先端が通過しうる孔である。
【００４４】
実施の形態３では、カバー１６ａは支持軸２１の周りに揺動可能に第１側板１５ａに支持されるが、少なくとも、突起７２がガイド孔６６に合う位置で、支持軸２１の方向に平行移動できる。実施の形態１と同様に、軸支持部３５は、バヨネット構造であるカム突起３６、係合溝３７およびカム受け３８で第１側板１５ａに連結される。ダイヤル円盤６０は、軸支持部３５に回動可能に支持されている。
【００４５】
図１１は、実施の形態３に係る両軸受リールのダイヤル円盤の断面図である。図１１は、図１０のＸＩ−ＸＩ断面を示す。図１１では、係合溝６５またはガイド孔６６に係合する突起７２が二点鎖線で示されている。
【００４６】
係合溝６５の断面は、開口を上に見て底の幅が開口の幅より広い倒立Ｔ字形状である。ガイド孔６６は、係合溝６５の一箇所から係合溝６５に連通し、係合溝６５の底の幅で、ダイヤル円盤６０の上面まで通じる筒状の孔である。突起７２は、先端の幅が根元の幅より拡大している先太形状である。実施の形態３では、突起７２は先端を上に見てＴ字形状である。
【００４７】
ガイド孔６６に突起７２を挿入して先端が底面に達すると、ダイヤル円盤６０を中心軸６１の周りに回動させることができる。突起７２が係合溝６５に係合すると、係合溝６５の開口は底面より狭いので、突起７２を、中心軸６１の方向に動かすことができない。また、図１０に示されるように、突起７２の支持軸２１周りの揺動軌跡は、係合溝６５の円弧と交わるから、突起７２が係合溝６５に係合している状態では、カバー１６ａを回すことができない。
【００４８】
係合溝６５とガイド孔６６の交わる位置を、突起７２に合わせれば、ガイド孔６６を通ってダイヤル円盤６０から突起７２を離脱させることができる。すなわち、カバー１６ａを支持軸２１の方向に第１側板１５ａから離すことができる。突起７２をダイヤル円盤６０から離脱させれば、カバー１６ａを支持軸２１の周りに揺動させて開くことができる。
【００４９】
図１２は、実施の形態３の変形例を示す側面図である。図１２の変形例では、カバー１６ａは、支持軸２２の周りに揺動可能に第１側板１５ａに支持される。その他の構成は、図１０および図１１と同じである。
【００５０】
支持軸２２の方向は、第１側板１５ａおよびカバー１６ａの面の方向であり、スプール軸２０およびダイヤル円盤６０の中心軸６１に対して、捩れの位置にある。支持軸２２は、いわばヒンジであって、カバー１６ａは、支持軸２２を中心として、ドアのように開閉する。図１２には、カバー１６ａを開いた状態が、二点鎖線で示されている。
【００５１】
図１２の変形例では、突起７２の軌跡は、支持軸２２に直交し突起７２を通る断面で円弧になるが、ガイド孔６６の幅に余裕を持たせれば、ガイド孔６６に挿抜できる。
【００５２】
図１３は、実施の形態３の異なる変形例に係るダイヤル円盤の正面図である。図１３の例では、ダイヤル円盤６０に外周から中心軸６１に向かって凹み、外周に開いた係合溝６７が形成されている。係合溝６７は、中心軸６１の軸芯を中心とする半径ｒ’の円弧状である。係合溝６７は、中心軸６１に近い底の幅が、外周の開口の幅より広い底広形状であって、溝の深さの中間に段差６８が形成されている。係合溝６７の端には、係合溝６７に連通し、係合溝６７の底の幅の筒状で外周面に通じるガイド孔６９が形成されている。
【００５３】
図１４は、実施の形態３の異なる変形例に係るダイヤル円盤の断面図である。図１４は、図１３のＸＩＶ−ＸＩＶ断面を示す。係合溝６７の断面は、開口を上に見て底の幅が開口の幅より広い倒立Ｔ字形状である。ガイド孔６９は、係合溝６７の一箇所から係合溝６７に連通し、係合溝６７の底の幅で、ダイヤル円盤６０の外周まで通じる筒状の孔である。突起７２は、先端の幅が根元の幅より拡大している先太形状である。実施の形態３では、突起７２は先端を上に見てＴ字形状である。
【００５４】
図１３および図１４に示すダイヤル円盤６０を用いる場合、係合溝６７に係合する突起は、ダイヤル円盤６０の中心軸６１に交わる面の方向に延び、先端の幅が根元の幅より大きい先太形状である。例えば、カバー１６ａに中心軸６１に交わる面の方向に延びる突起を形成し、図１０に示すように、カバー１６ａが支持軸２１の周りに揺動可能に第１側板１５ａに支持される構造とすることができる。
【００５５】
係合溝６７とガイド孔６９の交わる位置を、カバー１６ａが第１側板１５ａのフレーム１５の外を覆う位置にあるときの突起に合わせた状態で、突起はガイド孔６９を通じてダイヤル円盤６０から離脱し得る。突起がガイド孔６９に挿入された状態から、ダイヤル円盤６０を回動させれば、突起は係合溝６７に係合し、段差６８と係合溝６７の底面に拘束されるので、カバー１６ａを回すことができない。
【００５６】
図１３および図１４に示すダイヤル円盤６０を用いる場合、実施の形態１と同様に、突起を第１側板１５ａに固定し、カバー１６ａ、軸支持部３５およびダイヤル円盤６０が一体で第１側板１５ａに取付、取り外しできるように構成することもできる。
【００５７】
図１３および図１４に示すダイヤル円盤６０では、外周すなわち側面に係合溝６７の開口が形成されるが、第１側板１５ａおよびカバー１６ａで側面を覆って隠すことができる。その場合、ダイヤル円盤６０の底面に、例えばつまみを形成して、底面を操作するように構成できる。
【００５８】
実施の形態３では、突起７２は、Ｔ字形状に限らない。突起７２は、例えば、根本が偏ったΓ字形状でもよい。係合溝６５、６７の断面は、倒立Ｔ字形状に限らない。係合溝６５、６７の断面は、突起７２に合わせて、例えば、Ｌ字形状でもよい。
【符号の説明】
【００５９】
１０  両軸受リール
１１  リール本体
１２  ハンドル
１３  スタードラグ
１４  スプール
１５  フレーム
１５ａ  第１側板
１５ｂ  第２側板
１５ｅ  開口部
１６ａ  カバー
１６ｂ  駆動部カバー
２０  スプール軸（支持軸）
２１、２２  支持軸
２５  スプール制動装置
３５  軸支持部
３６  カム突起
３７  係合溝
３８  カム受け
６０  ダイヤル円盤
６１  中心軸
６２  係合溝
６３  ガイド孔
６４  交点
６５  係合溝
６６  ガイド孔
６７  係合溝
６８  段差
６９  ガイド孔
７０、７１、７２  突起
ｈ  穴
ｒ、ｒ’  半径（第１の半径）
Ｒ、Ｒ’  半径（第２の半径）
【図１】
2019115278.tif 000003
【図２】
2019115278.tif 000004
【図３】
2019115278.tif 000005
【図４】
2019115278.tif 000006
【図５】
2019115278.tif 000007
【図６】
2019115278.tif 000008
【図７】
2019115278.tif 000009
【図８】
2019115278.tif 000010
【図９】
2019115278.tif 000011
【図１０】
2019115278.tif 000012
【図１１】
2019115278.tif 000013
【図１２】
2019115278.tif 000014
【図１３】
2019115278.tif 000015
【図１４】
2019115278.tif 000016